(57)【要約】      （修正有）【課題】菌体資剤の使用量を少なくして排水処理ができるようにした活性菌供給装置を提供する。【解決手段】排水処理槽４０の排水を用いて菌を活性化し、この活性菌培養液を排水処理槽４０に再び供給するようにした活性菌供給装置１０であって、排水交換槽２０とこれに隣接した菌保存槽３０の二槽からなり、排水交換槽２０には排水処理槽４０と連結して排水処理槽４０の排水を汲み入れる排水導入管２１と、排水交換槽２０で活性化された活性菌培養液を吸入するようにした菌培養液吸入管２２と、この菌培養液吸入管２２と連結して活性化菌培養液を排水処理槽４０に放出する菌培養液放出管２４と、排水交換槽４０の排水を菌保存槽３０に供給する循環用配管３１を備え、さらに排水交換槽２０と菌保存槽３０に各々エアーポンプ３５，３６と連結した散気管３３，３４を具えた活性菌供給装置である。【選択図】図１
2005074401.tif 000002
【特許請求の範囲】
【請求項１】
排水処理槽の排水を用いて菌を活性化し、この活性菌培養液を排水処理槽に再び供給するようにした活性菌供給装置であって、排水交換槽とこれに隣接した菌保存槽の二槽からなり、排水交換槽には排水処理槽と連結して排水処理槽の排水を汲み入れる排水導入管と、排水交換槽で活性化された活性菌培養液を吸入するようにした菌培養液吸入管と、この菌培養液吸入管と連結して活性菌培養液を排水処理槽に放出する菌培養液放出管と、排水交換槽の排水を菌保存槽に供給する循環用配管を備え、さらに排水交換槽と菌保存槽に各々エアーポンプと連結した散気管を具えたことを特徴とする活性菌供給装置。
【請求項２】
排水交換槽には、さらに栄養素タンクから栄養素を供給する栄養素供給管を備えたものである請求項１記載の活性菌供給装置。
【請求項３】
請求項１記載の活性菌供給装置の排水交換槽から供給される菌培養液を排水処理槽に供給して行なう排水の処理方法。
【発明の詳細な説明】
【技術分野】
【０００１】
この発明は、活性菌供給装置およびこれを用いた排水の処理方法に関し、特に排水処理槽の排水をベースにして菌を活性化し、その活性化菌培養液を排水の処理槽に再び供給するとともに、排水処理槽の排水で菌を保存するようにした菌保存槽を併設した活性菌供給装置およびこれを用いた排水の処理方法に関するものである。
【背景技術】
【０００２】
従来、粉体或いは液体の菌体資剤を用いた排水処理では、菌体資剤をそのまま排水の処理槽に投入する場合が多くあった。また、菌体をさらに有効に働かせるために、休眠状態の菌を何らかの方法で活性化させ、これを排水の処理槽に供給させる装置も開発されている。
【０００３】
本願の先行技術としては、排水処理槽の一種であるグリストラップの内側に菌培養槽を設け、これにこれに菌を投入してからグリストラップの排水を汲み上げ、爆気して菌を活性化してからこの菌培養液をグリストラップに供給して排水を処理する装置（例えば、特許文献１。）を本出願人は既に提案している。
【特許文献１】特開２００１−２１２４４２号公報
【発明の開示】
【発明が解決しようとする課題】
【０００４】
しかしながら、こうした従来の菌培養装置は、休眠している菌を回分的に活性化して、これを排水処理装置に供給するものものであるので、菌体資剤を菌培養装置にその都度供給することが必要であった。また、こうした装置では菌体資剤も多量に使用することとなっていた。さらに、この場合は菌体資剤の活性化が十分に行われないこともあったが、こうした場合でも菌体の十分な活性化が確認されていないまま供給されているのが実状であった。菌体資剤は一般に高価であるので、その使用量をできるだけ減らすことが従来から求められているが、従来の菌培養装置は必ずしもこうした要請に十分に応えるものではなかった。また、菌培養装置で菌の活性化を図って使用する場合でも、従来の装置では菌の活性化が十分に行われていない恐れもあった。
【０００５】
従って、この発明は、排水処理槽の排水を用いて排水交換槽で菌を活性化してから排水処理槽に活性化した菌培養液を供給するようにするとともに、菌保存槽を併設してここで常に菌を保存させながら増殖させ、その菌を前記排水交換槽に供給するようにした活性菌供給装置を得ようとするものである。
【課題を解決するための手段】
【０００６】
この発明は、排水処理槽の排水を用いて菌を活性化し、この活性菌培養液を排水処理槽に再び供給するようにした活性菌供給装置であって、排水交換槽とこれに隣接した菌保存槽の二槽からなり、排水交換槽には排水処理槽と連結して排水処理槽の排水を汲み入れる排水導入管と、排水交換槽で活性化された活性菌培養液を吸入するようにした菌培養液吸入管と、この菌培養液吸入管と連結して活性菌培養液を排水処理槽に放出する菌培養液放出管と、排水交換槽の排水を菌保存槽に供給する循環用配管と、さらに排水交換槽と菌保存槽に各々エアーポンプと連結した散気管を具えたことを特徴とする活性菌供給装置である。
【０００７】
即ち、この発明の活性菌供給装置は、排水交換槽とこれに隣接した菌保存槽の二槽からなり、排水処理槽では排水処理槽から汲み上げた排水を用いて菌を活性化し、この活性菌培養液を排水処理槽に供給するようにしたものである。また、菌保存槽では排水交換槽の排水を導入して、ここで菌を培養して保存するようにしたものである。また、その際に排水交換槽に栄養素タンクから栄養素を供給するものである。さらにこの発明は、この活性菌供給装置の排水交換槽から供給される活性菌培養液を用いて排水の処理を行なうものである。
【発明の効果】
【０００８】
この発明によると、排水交換槽で十分に活性化した活性菌培養液がグリストラップのような排水貯留槽、その他の排水の処理槽に放出されるために、そこでの対象物の分解がこれまで以上に促進されるものである。また、この装置では排水交換槽に隣接して菌培養槽が設けられ、ここで排水交換槽から循環された排水を用いての菌の増殖を常に行って、これを排水交換槽に供給するようにしているので、その都度新たに菌の補給を行なわなくとも、排水処理槽に供給する排水交換槽の排水を菌活性培養液とすることが可能である。このために、この発明では立ち上げ時に種菌を投入するだけで、毎日必要量の菌を投入しなくて済みランニングコストを下げることが可能となる。
【０００９】
さらに、この発明の装置において、菌培養槽に栄養素を供給するようにすれば、菌の培養はさらに促進された高濃度の菌培養液を処理槽に効率よく供給することができるようになるものである。
【発明を実施するための最良の形態】
【００１０】
この発明の装置を用いた活性菌培養液供給システムは図１に示されている。図１はこの発明の活性菌供給のフローを示したもので、この中で１０は活性菌供給装置である。この活性菌供給装置１０は、排水交換槽２０とこれに隣接する菌保存槽３０の主要槽からなっている。排水交換槽２０には、例えばグリストラップその他の排水の処理槽４０からの排水を導入するための排水導入管２１が、その開口部を排水交換槽２０の内側に向けて設けられている。排水導入管２１の基端部には、汲み上げポンプ４１が連結されていて、このポンプ４１を用いて排水処理槽４０の排水を汲み上げ、これを排水交換槽２０に導入するようにしている。
【００１１】
また、排水交換槽２０には、菌培養液吸入管２２が設けられていて、排水交換槽２０の水位が所定に位置を超えて高くなると、菌培養液吸入管２２の上端開口部２３からの溢水がこの中を流下するようになっている。この菌培養液吸入管２２の底部には菌培養液放出管２４が連結されていて、これが排水処理槽４０と接続している。図１では、菌培養液放出管２４は排水処理槽４０に接続されているが、これとは別の図示しないグリストラップのような排水貯留槽に菌培養液放出管２４を接続してもよい。これによって、排水交換槽２０の中の活性化菌培養液が排水処理槽４０（或いは排水貯留槽）に排出されるようになっている。
【００１２】
さらに、排水交換槽２０には栄養素供給管２５が接続され、その先端開口部が排水交換槽２０の内側に向けられている。栄養素供給管２５の他端は栄養素タンク２６に接続されていて、中間に設けられた液体ポンプ２７を稼動して栄養素タンク２６の栄養素が、必要量だけ排水交換槽２０に投入されるようになる。
【００１３】
排水交換槽２０には、これと隣接して菌保存槽３０が設けられている。菌保存槽３０は前記の排水交換槽２０の交換用排水を受け入れて、ここで菌培養液を保存して、ここで菌の増殖を行うものである。このために、排水交換槽２０と菌保存槽３０は循環配管３１で連結されていて、これにポンプ３２が接続されてこれを稼動することで、排水交換槽２０の交換用排水が菌保存槽３０に導入されるようになっている。
【００１４】
上記の排水交換槽２０と菌保存槽３０には各々底部に散気管３３，３４が設けられている。そして、排水交換槽２０の底部に設けられている散気管３３はエアーポンプ３５と接続され、また菌保存槽３０の底部に設けられている散気管３４は別のエアーポンプ３６とそれぞれ送風管３５ｐ、３６ｐで接続されている。
【００１５】
３７、３８は排水交換槽２０と菌保存槽３０に取り付けられているヒータで、菌を活性化して菌増殖を一層促進させるものである。さらに、５０は消泡ノズルである。排水交換槽２０および菌保存槽３０では散気を行うため泡が生ずるので、これに散水して消泡するためのものである。消泡ノズル５０は水道水の配管５１と連結されていて、配管５１の途中に設けて電磁弁５２でバルブを所定量開いて必要な散水を行うものである。
【００１６】
上記の装置を用いて活性化された菌培養液を排水処理装置に供給するには、最初、排水処理槽４０の汲み上げポンプ４１を稼動して排水処理槽４０の排水を排水交換槽２０に汲み上げる。その後、活性菌供給装置１０の排水交換槽２０に所定量の菌を投入する。さらに、排水交換槽２０のポンプ３２を稼動して、投入した菌の一部が混入された排水を排水交換槽２０と隣接した菌保存槽３０にも導入する。この状態で排水交換槽用エアーポンプ３５と菌保存槽用エアーポンプ３６を稼動して散気管３３，３４から空気を排水用交換槽２０および菌保存槽３０に供給し、これらの槽の中の排水の菌を活性化し、さらに培養して活性化菌培養液とする。
【００１７】
排水用交換槽２０と菌培養槽３０の菌が十分に培養された段階となったところで、排水処理槽４０の汲み上げポンプ４１を稼動して排水処理槽４０の排水を排水交換槽２０に所定時間継続して汲み上げる。すると、排水交換槽２０の活性菌培養液は、攪拌されながらその水位を上げていって菌培養液吸入管２２の上部開口部２３から溢れ出て、これと連結されている菌培養液放出管２４を通って排水処理槽４０或いは別の図示しない排水貯留槽に導かれる。これによって、排水交換槽２０の中の菌倍溶液は、排水処理理槽４０に導入されるとともに、これに代わって排水交換槽２０の中は排水処理槽から汲み上げた新たな排水で充たされ状態となるものである。
【００１８】
その後、排水交換槽２０の循環ポンプ３２を稼動して排水交換槽２０の排水をさらに菌保存槽３０の側に導入する。すると、排水交換槽２０からの新たな排水の導入で、菌保存槽３０の菌培養液が拡散されながら溢れ出て、これが菌保存槽３０に隣接して設けた排水交換槽２０の側に流れ入るようになる。このようにして菌保存槽３０の中の活性菌培養液が排水交換槽２０に導入されてきて、排水交換槽２０に菌保存槽３０の菌培養液が投入されるようになる。こうした段階となって、ポンプ３２の稼動を停止して排水交換槽２０の排水の汲み上げを停止する。
【００１９】
このようにすると、排水交換槽２０および菌保存槽３０の中の排水の菌濃度は、それ以前の活性菌培養液と比較して、菌濃度が希薄となるので、その後はしばらくの間、散気管３２，３３を通して散気を継続して、排水交換槽２０および菌保存槽３０の排水の菌の増殖を行う。この場合に、菌増殖をさらに高めるためには、必要に応じ液体ポンプ２７を稼動して栄養タンク２６の栄養素を排水交換槽２０に供給するようにする。また、さらに排水交換槽２０と菌保存槽３０の側面に設けられているヒータ３７，３８を用いて加熱すると菌の増殖は一層促進される。
【００２０】
このようにして、排水交換槽２０および菌保存槽３０の中で、再び菌が十分に増殖されたときは、前記と同様にして排水交換槽２０の活性菌培養液を排水処理槽４０に供給するとともに、菌保存槽３０の活性菌培養液を排水交換槽２０に同様に導入する。これ以降も同様とするものである。なお、５３，５４はドレンのハンドバルブである。
【００２１】
図１の活性菌供給装置を使用して、サラダ油２０００mg/L，窒素成分７２mg/L，燐成分２９mg/L，その他塩類を含む人工排水を使用して２４時間培養したところ、排水交換槽２０および菌保存槽３０にける菌個数は次の通りであった。
【表１】
2005074401.tif 000003
【図面の簡単な説明】
【００２２】
【図１】この発明の活性菌供給装置を用いた活性菌培養液の供給フローである。
【符号の説明】
【００２３】
１０…活性菌供給装置、２０…排水交換槽、３０…菌保存槽、４０…排水処理槽、２１…排水導入管、４１…汲み上げポンプ、２２…菌培養液吸入管、２４…菌培養液放出管、２５…栄養素供給管、２６…栄養素タンク、２７…液体ポンプ、３１…循環配管、３２…ポンプ、３３，３４…散気管、３５，３６…エアーポンプ、３７，３８…ヒータ、５０…消泡ノズル。
【図１】
2005074401.tif 000004